(57)【特許請求の範囲】
【請求項１】
間伐材等の木材の中心部長手方向に貫通孔を形成し、該貫通孔内に索条又は線材を挿通することにより筋工材を形成し、該索条又は線材の端部に締結具を配設して、該締結具を介して複数の筋工材を連結するとともに、前記締結具から支柱を立設して、該支柱に金網等の防護壁を張設したことを特徴とする落石防止留付き筋工。
【請求項２】
前記締結具をアースアンカー又はアンカーボルトで地面に固定したことを特徴とする請求項１記載の落石防止留付き筋工。
【請求項３】
支柱の下端をその筋工の締結具に揺動可能に係止するとともに、支柱の上部を上段及び下段の筋工の締結具に支持部材を介して連結したことを特徴とする請求項１又は２記載の落石防止留付き筋工。
【発明の詳細な説明】
【０００１】
【発明の属する技術分野】
本発明は、山の傾斜面、堤防や道路の法面等（以下、単に「法面」という）の崩壊を防止するために、法面等に沿って設置される落石防止留付き筋工に関するものである。
【０００２】
【従来の技術】
土地開発の増加とともに、山の傾斜面、堤防や道路の法面等の崩壊を防止するための土留工事の需要が急増している。
【０００３】
ところで、この種の土留工事には、従来から、法面等に沿ってコンクリートを打設したり、コンクリート製ブロックを設置する工法が多用されてきたが、近年の環境保護の高まりとともに、上記従来のコンクリートを使用する工法の見直しが進められ、自然環境に適合した緑化工法の開発が要請されている。
この環境保護の要請に応えるものとして、法枠を法面等に沿って設置するとともに、該法枠内に客土を保持して緑化を図る方法が実用化されている。
【０００４】
【発明が解決しようとする課題】
しかしながら、従来の落石防止留付き筋工は、型枠にコンクリートを流し込んで成型したものであるため、施工が大がかりで工事費が高くなるとともに、施行後の景観も見劣りのするという問題があった。
また、緑化工法に関しては、芝による緑化工事よりも郷土種の樹林による自然復元化の要請が高いが、この樹林による復元化には、数年に亘る長い期間が必要であり、このため、法面に浮石や転石がある場合は落石を防止しなくてはならない。
この落石に対処する方法として、法面全体を金網で覆うロック金網工事があるが、このような従来の方法では、樹林が成長していく過程において金網が樹木の幹の生育を阻害し、また、景観も悪くなる。
【０００５】
本発明は、上記従来の落石防止留付き筋工が有する問題点に鑑み、森林保全や林業振興のためにその有効利用が要請されている間伐材等の木材を利用して、施工が容易で工事費が安く、また、樹木の幹の生育を阻害することなく、転石等の落下を防止することができる景観の良好な落石防止留付き筋工を提供することを目的とする。
【０００６】
【課題を解決するための手段】
上記目的を達成するため、本発明の落石防止留付き筋工は、間伐材等の木材の中心部長手方向に貫通孔を形成し、該貫通孔内に索条又は線材を挿通することにより筋工材を形成し、該索条又は線材の端部に締結具を配設して、該締結具を介して複数の筋工材を連結するとともに、前記締結具から支柱を立設して、該支柱に金網等の防護壁を張設したことを特徴とする。
【０００７】
この落石防止留付き筋工は、間伐材等の木材の中心部長手方向に貫通孔を形成し、該貫通孔内に索条又は線材を挿通することにより筋工材を形成し、該索条又は線材の端部に締結具を配設して、該締結具を介して複数の筋工材を連結することから、施工が容易で材料費や工事費が安く、しかも、芯材となる索条又は線材が間伐材等の木材によって覆われているため、施行後も自然に近い良好な景観を確保することができる。
そして、筋工の締結具から支柱を立設して、該支柱に金網等の防護壁を張設することから、長期に亘る樹林の復元化に対応し、樹木の幹の生育を阻害することなく、転石等の落下を防止することができる。
【０００８】
この場合において、前記締結具をアースアンカー又はアンカーボルトで地面に固定することができる。
【０００９】
これにより、落石防止留付き筋工を法面に簡単かつ確実に設置することができる。
【００１０】
また、支柱の下端をその筋工の締結具に揺動可能に係止するとともに、支柱の上部を上段及び下段の筋工の締結具に支持部材を介して連結することができる。
ここでいう「締結具」には、アースアンカーやアンカーボルト等の固定具を含むものとする。
【００１１】
これにより、支柱を容易かつ安価に立設することができる。
【００１２】
【発明の実施の形態】
以下、本発明の落石防止留付き筋工の実施の形態を図面に基づいて説明する。
【００１３】
図１〜図３に、本発明の落石防止留付き筋工の第１実施例を示す。
この落石防止留付き筋工１は、法面２に設置し、枠内に客土３を保持することにより法面の緑化を図るものであり、間伐材４の中心部長手方向に貫通孔５を形成し、この貫通孔５内に索条又は線材６を挿通することにより筋工材７を形成するとともに、この索条又は線材６の端部に締結具８を配設し、この締結具８を介して複数の筋工材７を連結することにより、筋状の筋工１を形成している。
そして、この落石防止留付き筋工は、筋工１の締結具８から支柱１４を立設し、この支柱１４に、防護壁として金網１５を張設している。
【００１４】
具体的には、図３に示すように、所定径の間伐材を例えば数十ｃｍ程度の適当な長さに切断し、切断した間伐材４の中心にワイヤーロープや鋼線等からなる索条又は線材６を通す貫通孔５を穿設する。
そして、切断した複数の間伐材４に索条又は線材６を挿通した後、索条又は線材６を適当な寸法で切断し、その端部に直接雄ねじを刻設するか、又は雄ねじを設けたボルト状の軸具９を固定する。
この場合、索条又は線材６に挿通する間伐材４の数量や長さ、あるいは索条又は線材６の長さ等は、施工する法面２に応じて適宜に変更することができる。
なお、切断した間伐材４は、図示のように端面を面取りしておくことが好ましい。
【００１５】
締結具８としては、例えば、円形や四角形の有底筒状の締結具８を使用することができる。
すなわち、この締結具８の筒壁８１にボルト孔８２を穿設し、このボルト孔８２に前記索条又は線材６の軸具９等を挿通してナット１０により固定する。
また、締結具８の底壁８３に、アースアンカー又はアンカーボルト用の貫通孔を穿設し、この締結具８をアースアンカー又はアンカーボルト（図示のものは、アースアンカー）１１で地面に固定することにより、筋工材７を法面２に固定するようにする。
このように、適当な数量の筋工材７を、筋状（又は格子状）に法面上に配設し、筋工材７端部の締結具８をアースアンカー又はアンカーボルト１１で地面に固定することにより、筋工１を法面２に形成することができる。
【００１６】
一方、支柱１４は、その筋工１の締結具８に下端を係止するとともに、上部を上段の筋工１の締結具８に索条や線材等の支持部材１６を介して連結することによって立設されている。
【００１７】
具体的には、支柱１４は、特に限定されるものではないが、鋼管や形鋼からなり、支柱１４の下端を締結具８に溶接等により強固に係止するようにしたり、本実施例に示すように、軸１９を介して、揺動可能に係止することができる。
【００１８】
そして、支柱１４の下端を軸１９を介して、揺動可能に係止するようにした場合には、締結具８（アンカーボルト１１）に接続した支持部材としてのワイヤーロープ１６、１８をこの鋼管の中に通して、上段及び下段の筋工１の締結具８（アンカーボルト１１）に接続することにより、支柱１４を支持するようにしている。
なお、ワイヤーロープ１６、１８は、支柱１４の上部に直接固定することもできる。
【００１９】
そして、複数立設した支柱１４の上部同士と下部同士を各々ワイヤーロープ１７でつなぎ、これらワイヤーロープ１７と支柱１４の間に金網１５等を張設している。
【００２０】
かくして、本実施例の落石防止留付き筋工１は、間伐材４に索条又は線材６を挿通して筋工材７を形成するとともに、この索条又は線材６の端部に配設した締結具８を介して複数の筋工材７を連結することから、施工が容易で材料費や工事費が安く、しかも、芯材となる索条又は線材６が間伐材４によって覆われているため、施行後も自然に近い良好な景観を確保することができる。
【００２１】
そして、筋工の締結具８から支柱１４を立設して、該支柱１４に金網１５等の防護壁を張設することから、長期に亘る樹林の復元化に対応し、樹木の幹の生育を阻害することなく、転石等の落下を防止することができる。
【００２２】
また、締結具８をアースアンカー又はアンカーボルト１１で地面に固定して、筋工材７を法面２に固定することにより、法枠１を法面２に簡単かつ確実に設置することができる。
【００２３】
そして、本実施例の落石防止留付き筋工は、以下の特性も有している。
（１）ワイヤーロープ等の索条又は線材６の柔軟性や引っ張り強さ、間伐材４の堅さ等のそれぞれの特性を利用している。間伐材４だけであれば柔軟性、引っ張り強さがなく、また、索条又は線材６だけであれば枠を作ることも、法面２を押さえることもできない。
（２）間伐材４の長さを短くすることによって、曲げやすくなり、法面２の起伏に対しても柔軟性をもって対応することができる。
（３）アースアンカー又はアンカーボルト１１は、法面２の状況に対して長くしたり、強度の強いものを使うことができる。
（４）森林保全、林業振興のためにその有効利用が要請されている間伐材４の利用促進を図ることができる。
（５）図２（ｂ）に示すように、客土３の間伐材４の上の部分１２が階段状に平たくなり、また、コンクリートのようにアクが出ないこともあって、植生状態をよくすることができる（法面の階段状化）。
（６）長い時間の経過とともに間伐材４が風化して土に還り、異物の残留を極めて少なくすることができる。
（７）落石防止留付き筋工１を、格子状にしたり、筋状にしたりすることができ、設計を自由に変更することができる。
（８）締結具８の底面に水抜き穴（図示省略）を開け、締結具８の中にも客土吹付を行い、きめ細かい緑化を図ることができる。
【００２４】
次に、図４に、本発明の落石防止留付き筋工の第２実施例を示す。
この落石防止留付き筋工（筋工）１は、第１実施例と同様に、間伐材４の中心部長手方向に貫通孔５を形成し、この貫通孔５内にワイヤーロープ６を挿通することにより筋工材７を形成するとともに、このワイヤーロープ６の端部に締結具８を配設し、この締結具８を介して複数の筋工材７を連結することにより、法面に沿って平行（筋状）に筋工材７を配設するようにしたものである。
そして、この落石防止留付き筋工は、例えば、図１に示すように、筋工１の締結具８から支柱１４を立設し、この支柱１４に、防護壁として金網１５を張設している。
【００２５】
なお、本実施例においては、法面に沿って平行（筋状）に配設した筋工材７と直交する方向には何も配設していないが、同様の資材を配設して、格子状の落石防止留付き格子枠とすることもでき、本発明は、これを排除するものでない。
【００２６】
この場合において、締結具として、プレス成形した有底円筒状の締結具８を使用するようにしている。
そして、この締結具８の周壁８５の対向する２箇所（又はクロスする４箇所）にそれぞれボルト孔８２を穿設し、このボルト孔８２にフック付きボルト８６を挿通してナット１０により固定する。
そして、このフック付きボルト８６に、リング状に形成したワイヤーロープ６の一端６ａを掛止するとともに、ワイヤーロープ６の他端６ｂを掛けて固定具８７により固定する。
この固定具８７は、ワイヤーロープを固定するために用いられる各種部材を使用することができるが、例えば、固定具に折り返すようにして挿通したワイヤーロープ６の端部側を一方向（緊張方向）にのみ移動可能（他方向（緩み方向）には移動不可）とし、ワイヤーロープ６の端部側を一方向（緊張方向）に引っ張ることによりワイヤーロープ６を緊張することができるようにした固定具を好適に用いることができる。
【００２７】
また、締結具８の底壁８３に、アースアンカー又はアンカーボルト用の貫通孔を穿設し、この締結具８をアースアンカー又はアンカーボルト（図示のものは、アンカーボルト）１１で地面に固定することにより、筋工材７を法面２に固定するようにすることは、上記第１実施例と同様である。
なお、中間に位置する締結具８ａは、単にワイヤーロープ６を挿通させるだけでよい。
このように、適当な数量の筋工材７を、筋状（又は格子状）に法面上に配設し、筋工材７端部の締結具８をアースアンカー又はアンカーボルト１１で地面に固定することにより、筋状（格子状）の落石防止留付き筋工（格子枠）１を法面２に形成することができる。
【００２８】
以上、本発明の落石防止留付き筋工について、木材として間伐材４を利用した実施例に基づいて説明したが、本発明は上記実施例に記載した構成に限定されるものではなく、例えば、直径等の寸法に制約のある間伐材４（客土３の層厚を増大させようとしても、間伐材４の直径により制約を受ける）に代えて、図５（ａ）に示すように、木材として角材４Ａを用いることができる等、その趣旨を逸脱しない範囲において適宜その構成を変更することができるものである。
そして、木材として角材４Ａを用いる場合には、例えば、２本の角材４Ａ1、４Ａ2を用い、少なく一方の角材４Ａ1の他方の角材４Ａ2との接合面に、両者を接合した状態でワイヤーロープや鋼線等からなる索条又は線材６を通す貫通孔５となる角材４Ａ1の長手方向に伸びる溝を形成した後、図５（ｂ）に示すような金属製等の連結具１３ａや図５（ｃ）に示すような金属製等の連結ベルト１３ｂを用いて、２本の角材４Ａ1、４Ａ2を接合、一体化するようにしたものを、図１〜図４に記載した一実施例と同様に用いるようにする。
なお、木材として角材４Ａを用いる場合の基本的な作用効果は、木材として間伐材４を利用した場合と、同様である。
【００２９】
また、本発明の名称の「落石防止留付き筋工」は、本発明の適用対象を分かりやすくするために付したものにすぎず、金網を板状のものに換えることにより、雪崩による雪の落下も防止することができる。
【００３０】
【発明の効果】
本発明の落石防止留付き筋工によれば、間伐材等の木材の中心部長手方向に貫通孔を形成し、該貫通孔内に索条又は線材を挿通することにより筋工材を形成し、該索条又は線材の端部に締結具を配設して、該締結具を介して複数の筋工材を連結することから、施工が容易で材料費や工事費が安く、しかも、芯材となる索条又は線材が間伐材等の木材によって覆われているため、施行後も自然に近い良好な景観を確保することができ、間伐材の利用の促進と相俟って、自然環境に適合した工法であるということができる。
そして、筋工の締結具から支柱を立設して、該支柱に金網等の防護壁を張設することから、長期に亘る樹林の復元化に対応し、樹木の幹の生育を阻害することなく、転石等の落下を防止することができ、施工が容易で、工事費を安くすることができる。
【００３１】
また、前記締結具をアースアンカー又はアンカーボルトで地面に固定することにより、落石防止留付き筋工を法面に簡単かつ確実に設置することができる。
【００３２】
また、支柱の下端をその筋工の締結具に揺動可能に係止するとともに、支柱の上部を上段及び下段の筋工の締結具に支持部材を介して連結することにより、支柱を容易かつ安価に立設することができる。
【図面の簡単な説明】
【図１】  本発明の落石防止留付き筋工の第１実施例を示す正面図である。
【図２】  同実施例の落石防止留付き筋工を示し、（ａ）は側面図、（ｂ）は支柱と防護壁を省略した断面側面図である。
【図３】  同実施例の落石防止留付き筋工を示し、（ａ）は支柱と防護壁を省略した平面図、（ｂ）は締結具とアースアンカー又はアンカーボルトを示す断面図である。
【図４】  本発明の落石防止留付き筋工の第２実施例を示し、（ａ）は支柱と防護壁を省略した断面平面図、（ｂ）はワイヤーロープと固定具を示す平面図、（ｃ）は締結具とアースアンカー又はアンカーボルトを示す縦断面図である。
【図５】  本発明の落石防止留付き筋工の第３実施例を示し、（ａ）は角材の説明図、（ｂ）及び（ｃ）は角材を接合、一体化した状態を示す説明図、（ｄ）は支柱と防護壁を省略した落石防止留付き筋工の断面図である。
【符号の説明】
１    落石防止留付き筋工
２    法面
３    客土
４    間伐材（木材）
４Ａ  角材（木材）
５    貫通孔
６    索条又は線材
７    筋工材
８    締結具
８１  筒壁
８２  ボルト孔
８３  底壁
８４  アースアンカー又はアンカーボルト用貫通孔
８５  周壁
８６  フック付きボルト
８７  固定具
９    軸具
１０  ナット
１１  アースアンカー（又はアンカーボルト）
１２  間伐材の上の部分
１３  連結具
１４  支柱
１５  金網（防護壁）
１６  ワイヤーロープ（支持部材）
１７  ワイヤーロープ
１８  ワイヤーロープ（支持部材）
１９  軸
【図１】
0004031273.tif 000002
【図２】
0004031273.tif 000003
【図３】
0004031273.tif 000004
【図４】
0004031273.tif 000005
【図５】
0004031273.tif 000006